(57)【要約】【課題】製作容易でかつ繰り返し使用できるテントシートを提供すること。【解決手段】テントシート１０は、立坑１内を上から覆う。このテントシート１０は、防水加工された略円錐形の可撓性を有するシート部材２０と、このシート部材２０の頂部に設けられた環状の吊り部材３０と、シート部材２０の裏面に設けられてシート部材２０の頂部から外縁に向かって放射状に延びる補強ベルト４０と、を備える。本発明によれば、従来のようなシートを開閉する開閉装置が不要となるので、簡易な構造であり、製作容易でかつ繰り返し使用できる。【選択図】図１
2015086629.tif 000002
【特許請求の範囲】
【請求項１】
立坑内を上から覆うテントシートであって、
防水加工された略円錐形の可撓性を有するシート部材と、
当該シート部材の頂部に設けられた環状の吊り部材と、
前記シート部材の裏面に設けられて当該シート部材の頂部から外縁に向かって放射状に延びる補強ベルトと、を備えることを特徴とするテントシート。
【請求項２】
前記シート部材は、展開された状態で扇形状であり、
当該シート部材には、当該扇形状のシート部材の弦同士を接合する接合部材が設けられることを特徴とする請求項１に記載のテントシート。
【請求項３】
前記シート部材の頂部には、少なくとも２本の紐状部材が取り付けられ、
前記シート部材の外縁には、所定間隔おきに第２の紐状部材が取り付けられていることを特徴とする請求項１または２に記載のテントシート。
【請求項４】
前記立坑には、内壁面に沿って立上がり鉄筋がダブル配筋され、
当該立上がり鉄筋の内側の鉄筋と外側の鉄筋との間には、止水板が打ち込まれており、
前記第２の紐状部材は、前記立上がり鉄筋の外側の鉄筋に固定されていることを特徴とする請求項３に記載のテントシート。
【発明の詳細な説明】
【技術分野】
【０００１】
本発明は、テントシートに関する。詳しくは、立坑内を上から覆うテントシートに関する。
【背景技術】
【０００２】
従来より、雨天時にコンクリートを打設すると、コンクリート表面のセメント成分などが雨で流されて、コンクリートの品質が低下する。そこで、従来より、コンクリート打設箇所を覆うテントシートが提案されている（特許文献１参照）。
【０００３】
このテントシートは、４本の傘骨組み部材と、これら傘骨組み部材に連結され傘骨組み部材を開閉させる開閉機構と、傘骨組み部材の全体に亘って被せられた防水シートと、を備える。
このテントシートをクレーンで吊り上げて、コンクリート打設箇所の上に配置し、開閉装置を駆動して防水シートを開いて、コンクリート打設箇所を覆う。これにより、雨天時であっても、コンクリートの品質が低下するのを防止できる。
【先行技術文献】
【特許文献】
【０００４】
【特許文献１】特開平１０‐２６６５７８号公報
【発明の概要】
【発明が解決しようとする課題】
【０００５】
しかしながら、以上のテントシートでは、大掛かりな開閉機構が必要となるため、テントシートの製作コストがかかる、という問題があった。また、コンクリート打設現場では、コンクリートが飛散して開閉機構に付着し、開閉機構を繰り返し使用することが困難になる、という問題があった。
【０００６】
本発明は、製作容易でかつ繰り返し使用できるテントシートを提供することを目的とする。
【課題を解決するための手段】
【０００７】
請求項１に記載のテントシート（例えば、後述のテントシート１０）は、立坑（例えば、後述の立坑１）内を上から覆うテントシートであって、防水加工された略円錐形の可撓性を有するシート部材（例えば、後述のシート部材２０）と、当該シート部材の頂部に設けられた環状の吊り部材（例えば、後述の吊り部材３０）と、前記シート部材の裏面に設けられて当該シート部材の頂部から外縁に向かって放射状に延びる補強ベルト（例えば、後述の補強ベルト４０）と、を備えることを特徴とする。
【０００８】
この発明によれば、可撓性を有するシート部材を用いてテントシートを構成したので、テントシートの頂部を立坑の内壁面から吊り下げ支持するとともに、このテントシートの外縁を施工箇所の周囲に固定することで、テントシートを拡げて固定できる。よって、従来のようなシートを開閉する開閉装置が不要となるので、簡易な構造であり、製作容易でかつ繰り返し使用できる。
また、吊り部材にクレーンのフックを引っ掛けて、立坑の内部に吊り下ろすことで、テントシートを容易に施工箇所まで運搬できる。
また、シート部材を補強ベルトで裏打ちしたので、シート部材の耐久性を向上できる。
【０００９】
請求項２に記載のテントシートは、前記シート部材は、展開された状態で扇形状であり、当該シート部材には、当該扇形状のシート部材の弦同士を接合する接合部材（例えば、後述の面ファスナ２４Ａ、２４Ｂ）が設けられることを特徴とする。
【００１０】
接合部材としては、面ファスナや紐が挙げられる。
この発明によれば、布状の部材を扇形状に加工してシート部材とし、この扇形状のシート部材の弦同士を接合部材で接合するだけで、シート部材を形成できるので、テントシートをさらに容易に製作できる。
【００１１】
請求項３に記載のテントシートは、前記シート部材の頂部には、少なくとも２本の紐状部材（例えば、後述の紐状部材５０）が取り付けられ、前記シート部材の外縁には、所定間隔おきに第２の紐状部材（例えば、後述の第２の紐状部材６２）が取り付けられていることを特徴とする。
【００１２】
この発明によれば、シート部材の頂部に紐状部材を取り付けたので、この紐状部材を用いて、テントシートの頂部を容易に吊り下げ支持できる。
また、シート部材の外縁に所定間隔おきに第２の紐状部材を取り付けたので、これら第２の紐状部材を用いて、テントシートの外端を容易に固定できる。
【００１３】
請求項４に記載のテントシートは、前記立坑には、内壁面（例えば、後述の内壁面２）に沿って立上がり鉄筋（例えば、後述の立上がり鉄筋４）がダブル配筋され、当該立上がり鉄筋の内側の鉄筋（例えば、後述の内側の鉄筋５）と外側の鉄筋（例えば、後述の外側の鉄筋６）との間には、止水板（例えば、後述の止水板７）が打ち込まれており、前記第２の紐状部材は、前記立上がり鉄筋の外側の鉄筋に固定されていることを特徴とする。
【００１４】
この発明によれば、第２の紐状部材を立上がり鉄筋の外側の鉄筋に固定したので、テントシートが外側の鉄筋の近傍まで延びて、内側の鉄筋を覆うことになる。内側の鉄筋と外側の鉄筋との間には、止水板が打ち込まれているので、テントシート上の雨水は、テントシートの外縁から落下して、止水板の外側に流れ込むので、止水板の内側が浸水するのを防止できる。
【発明の効果】
【００１５】
本発明によれば、可撓性を有するシート部材を用いてテントシートを構成したので、テントシートの頂部を立坑の内壁面から吊り下げ支持するとともに、このテントシートの外縁を施工箇所の周囲に固定することで、テントシートを拡げて固定できる。よって、従来のようなシートを開閉する開閉装置が不要となるので、簡易な構造であり、製作容易でかつ繰り返し使用できる。また、吊り部材にクレーンのフックを引っ掛けて、立坑の内部に吊り下ろすことで、テントシートを容易に施工箇所まで運搬できる。また、シート部材を補強ベルトで裏打ちしたので、シート部材の耐久性を向上できる。
【図面の簡単な説明】
【００１６】
【図１】本発明の一実施形態に係るテントシートが取り付けられた立坑の側断面図である。
【図２】図１のＡ−Ａ断面図である。
【図３】図１の破線Ｂで囲まれた部分の拡大図である。
【図４】前記実施形態に係るテントシートの展開図である。
【図５】前記実施形態に係るテントシートの外縁部分の拡大平面図である。
【図６】前記実施形態に係るテントシートの取り付け方法を説明するための図である。
【発明を実施するための形態】
【００１７】
以下、本発明の一実施形態について、図面を参照しながら説明する。
図１は、本発明の一実施形態に係るテントシート１０が取り付けられた立坑１の側断面図である。図２は、図１のＡ−Ａ断面図である。図３は、図１の破線Ｂで囲まれた部分の拡大図である。
立坑１は、地中で略鉛直に延びる円筒形状であり、内壁面２で囲まれている。この立坑１の内側の下端面には、鉄筋コンクリート造の床躯体３が構築されており、この床躯体３の外周つまり内壁面２に沿って、立上がり鉄筋４が設けられている。
【００１８】
立上がり鉄筋４は、内側の鉄筋５と外側の鉄筋６とがダブル配筋されている。内側の鉄筋５と外側の鉄筋６との間には、止水板７が打ち込まれている。
【００１９】
テントシート１０は、円錐形状であり、立坑１内の立上がり鉄筋４に囲まれた部分を施行箇所として上から覆うものである。
このテントシート１０は、防水加工された略円錐形のシート部材２０と、このシート部材２０の頂部に設けられた環状の吊り部材３０と、シート部材２０の裏面に設けられてシート部材２０の頂部から外縁に向かって放射状に延びる補強ベルト４０と、を備える。
【００２０】
シート部材２０の頂部には、２本の紐状部材５０が取り付けられている。これら紐状部材５０は、立坑１の内壁面２の互いに対向する位置に固定されている。
また、シート部材２０の外縁には、所定間隔おきに第２の紐状部材６２が取り付けられている（図５参照）。これら第２の紐状部材６２は、立上がり鉄筋４の外側の鉄筋６に固定されている。
【００２１】
これによりテントシート１０の上の雨水は、図３中矢印で示すように、シート部材２０の外縁から落下して、止水板７の外側に流れ込むようになっている。
【００２２】
図４は、テントシート１０の展開図である。
シート部材２０は、可撓性を有する布状の部材を扇形状に切断加工したものである。
である。シート部材２０の弦２１Ａ、２１Ｂには、接合部材としての面ファスナ２４Ａ、２４Ｂが設けられる。この面ファスナ２４Ａ、２４Ｂ同士を接合することで、シート部材２０が円錐状となる。そして、シート部材２０の中心２２は、円錐の頂部となり、シート部材２０の弧２３は、円錐の外縁となる。
【００２３】
図５は、テントシート１０の外縁部分の拡大平面図である。
シート部材２０の弧２３には、所定間隔おきに貫通孔６０が設けられ、これら貫通孔６０には、それぞれ、ハトメ６１が取り付けられて、第２の紐状部材６２が取り付けられている。
【００２４】
上述の吊り部材３０および紐状部材５０は、シート部材２０の中心２２に取り付けられている。
また、補強ベルト４０は、可撓性を有する布状の直線状の部材であり、シート部材２０の中心２２から弧２３に向かって放射状に延びている。
【００２５】
以上のテントシート１０を製作する手順は、以下のようになる。
まず、布状の部材を扇形状に切断加工してシート部材２０を形成し、面ファスナ２４Ａ、２４Ｂを取り付ける。次に、このシート部材２０に貫通孔６０を設けてハトメ６１を取り付ける。次に、吊り部材３０、紐状部材５０、および第２の紐状部材６２を取り付ける。その後、この扇形状のシート部材２０の弦同士を面ファスナ２４Ａ、２４Ｂで接合する。
【００２６】
以上のテントシート１０を取り付ける際は、図６に示すように、テントシート１０の吊り部材３０をクレーンのフック３１に引っ掛けて、立坑１の内部に吊り下ろす。その後、図１に示すように、２本の紐状部材５０を立坑１の内壁面２に取り付けるとともに、第２の紐状部材６２を立上がり鉄筋４の外側の鉄筋６に結んで固定する。
【００２７】
本実施形態によれば、以下のような効果がある。
（１）可撓性を有するシート部材２０を用いてテントシート１０を構成したので、テントシート１０の頂部を立坑１の内壁面２から吊り下げ支持するとともに、このテントシートの外縁を立坑１の立上がり鉄筋４に固定することで、テントシートを拡げて固定できる。よって、従来のようなシートを開閉する開閉装置が不要となるので、簡易な構造であり、製作容易でかつ繰り返し使用できる。
【００２８】
また、吊り部材３０にクレーンのフック３１を引っ掛けて、立坑１の内部に吊り下ろすことで、テントシート１０を容易に施工箇所まで運搬できる。
また、シート部材２０を補強ベルト４０で裏打ちしたので、シート部材２０の耐久性を向上できる。
【００２９】
（２）布状の部材を扇形状に加工してシート部材２０とし、この扇形状のシート部材２０の弦２１Ａ、２１Ｂ同士を面ファスナ２４Ａ、２４Ｂで接合するだけで、シート部材２０を形成できるので、テントシート１０をさらに容易に製作できる。
【００３０】
（３）シート部材２０の頂部に紐状部材５０を取り付けたので、この紐状部材５０を用いて、テントシートの頂部を容易に吊り下げ支持できる。
また、シート部材２０の外縁に所定間隔おきに第２の紐状部材６２を取り付けたので、これら第２の紐状部材６２を用いて、テントシートの外端を容易に固定できる。
【００３１】
（４）第２の紐状部材６２を立上がり鉄筋４の外側の鉄筋６に固定したので、テントシート１０が外側の鉄筋６の近傍まで延びて、内側の鉄筋５を覆うことになる。内側の鉄筋５と外側の鉄筋６との間には、止水板７が打ち込まれているので、テントシート１０上の雨水は、テントシート１０の外縁から落下して、止水板７の外側に流れ込むので、止水板７の内側の施工箇所が浸水するのを防止できる。
【００３２】
なお、本発明は前記実施形態に限定されるものではなく、本発明の目的を達成できる範囲での変形、改良等は本発明に含まれるものである。
【符号の説明】
【００３３】
１…立坑
２…内壁面
３…床躯体
４…立上がり鉄筋
５…内側の鉄筋
６…外側の鉄筋
７…止水板
１０…テントシート
２０…シート部材
２１Ａ、２１Ｂ…弦
２２…中心
２３…弧
２４Ａ、２４Ｂ…面ファスナ（接合部材）
３０…吊り部材
３１…フック
４０…補強ベルト
５０…紐状部材
６０…貫通孔
６１…ハトメ
６２…第２の紐状部材
【図１】
2015086629.tif 000003
【図２】
2015086629.tif 000004
【図３】
2015086629.tif 000005
【図４】
2015086629.tif 000006
【図５】
2015086629.tif 000007
【図６】
2015086629.tif 000008